(57)【要約】  【課題】個人情報が記載されている部分の位置に係わらず個人情報を容易に削除する事ができる情報廃棄装置の提供  【解決手段】情報廃棄装置１は、第１の端部１１、第１の操作部１７、第２の端部２１、第２の操作部２７、および支点軸３１を有している。第１の端部１１は、複数の突起部１３および第１の刃部１５を有している。第２の端部２１は、複数の孔部２３および第２の刃部２５を有している。突起部１３は、孔部２３に嵌合する事によって、被情報廃棄物である紙に孔を形成する。また、第１の刃部１５および第２の刃部２５によって、はさみのように被情報廃棄物である紙を切断する。適当な部分まで第１の刃部１５および第２の刃部２５によって切り進み、適当な場所に到達したらはさみを切る要領で第１の操作部１７および第２の操作部２７を操作する事により、紙上のどの場所にでも孔を形成し、その部分に記載された情報を紙上から削除・廃棄する事ができる。【選択図】    図１
2006341344.tif 000002
【特許請求の範囲】
【請求項１】
支点軸を介して結合され、前記支点軸を中心に互いに揺動可能に形成されている第１の端部および第２の端部を有する情報廃棄装置であって、被情報廃棄物に対して孔を形成する情報廃棄装置において、
前記第１の端部は、
前記被情報廃棄物に対して孔を形成するための一又は複数の突起部、
前記被情報廃棄物を切断するための第１の刃部、
を有し、
前記第２の端部は、
前記第１の端部に形成されている前記突起部と協同して前記被情報廃棄物に対して孔を形成する一又は複数の孔部、
前記第１の刃部と協同して前記被情報廃棄物を切断する第２の刃部、
を有すること、
を特徴とする情報廃棄装置。
【請求項２】
請求項１に係る情報廃棄装置において、
前記第１の端部は、当該第１の端部を揺動させることができる第１の操作部を有し、
前記第２の端部は、当該第２の端部を揺動させることができる第２の操作部を有すること、
を特徴とする情報廃棄装置。
【請求項３】
請求項１に係る情報廃棄装置において、
前記突起部は、前記第１の端部に対して取り外し可能であること、
を特徴とする情報廃棄装置。
【請求項４】
請求項１〜３に係る情報廃棄装置において、
前記第１の端部は、
前記第１の刃部を前記突起部より前記支点軸に対して近くに有し、
前記第２の端部は、
前記第２の刃部を前記孔部より前記支点軸に対して近くに有すること、
を特徴とする情報廃棄装置。
【発明の詳細な説明】
【技術分野】
【０００１】
本発明は、情報廃棄装置であって、特に、必要な部分を容易に廃棄することができるものに関する。
【背景技術】
【０００２】
従来の情報廃棄装置であるシュレッダーを図１００に示す。シュレッダー１００は、箱状のハウジング１０２、裁断機１０４を有している。ハウジング１０２は、内部空間の上方部に裁断機１０４の設置スペースを有している。また、ハウジング１０２は、内部空間の下方部に裁断機１０４から落下してくる裁断屑１０４ａを収容するための収容スペースを有している。
【０００３】
【特許文献１】特開２００３−１８１３１９
【発明の開示】
【発明が解決しようとする課題】
【０００４】
前述のシュレッダー１００には、次のような問題点がある。シュレッダー１００は、裁断機１０４を有しているために、重量も重く、持ち運びが面倒である、という問題がある。
【０００５】
また、ハウジング１０２を有しているため、設置・保管の場所を必要する、問問題点もある。
【０００６】
さらに、住所・氏名等が記載されたタックシールが貼り付けられたダイレクトメールや封書では、廃棄したい個人情報が記載された部分は一部であるにもかかわらず、ダイレクトメール等の全てをシュレッダーにかけることになる、という問題点がある。
【０００７】
そこで、本発明は、重要な情報が記載されている部分を容易に廃棄することができる情報廃棄装置の提供を目的とする。
【課題を解決するための手段】
【０００８】
本発明に関する課題を解決するための手段および発明の効果を以下に示す。
【０００９】
（１）本発明に係る情報廃棄装置は、支点軸を介して結合され、前記支点軸を中心に互いに揺動可能に形成されている第１の端部および第２の端部を有する情報廃棄装置であって、被情報廃棄物に対して孔を形成する情報廃棄装置において、前記第１の端部は、前記被情報廃棄物に対して孔を形成するための一又は複数の突起部、前記被情報廃棄物を切断するための第１の刃部を有し、前記第２の端部は、前記第１の端部に形成されている前記突起部と協同して前記被情報廃棄物に対して孔を形成する一又は複数の孔部、前記第１の刃部と協同して前記被情報廃棄物を切断する第２の刃部を有する。
【００１０】
これにより、被情報廃棄物を第１の刃部および第２の刃部によって切断し、情報廃棄装置を適当な位置まで進めることによって、ユーザーが所望する位置に確実に孔を形成することができる。また、孔を形成する際の突起部および孔部の動作、被情報廃棄物を切断する際の第１の刃部および第２の刃部の動作は、第１の端部および第２の端部の揺動動作によって実現することができるので、情報廃棄装置を簡単な構成とすることができる。
【００１１】
（２）本発明に係る情報廃棄装置では、第１の端部は、当該第１の端部を揺動させることができる第１の操作部を有し、第２の端部は、当該第２の端部を揺動させることができる第２の操作部を有する。これにより、第１の端部、第２の端部を容易に揺動させることができる。
【００１２】
（３）本発明に係る情報廃棄装置では、突起部は、第１の端部に対して取り外し可能である。これにより、必要な部分に突起部を配置することができるので、ユーザーが所望する位置に孔を形成することができる。
【００１３】
（４）本発明に係る情報廃棄装置では、第１の端部は、第１の刃部を突起部より支点軸に対して近くに有し、第２の端部は、第２の刃部を孔部より前記支点軸に対して近くに有する。これにより、第１の刃部および第２の刃部を用いて情報廃棄装置を所望の位置まで容易に切り進めることができる。
【００１４】
「協同して被情報廃棄物に対して孔を形成する」とは、孔部のみでは項を形成できず、突起部および孔部によって孔を形成することをいい、孔部に突起部が嵌合することによって、孔を形成することを含む概念である。
【００１５】
「協同して被情報廃棄物を切断する」とは、主に、第１の刃部もしくは第２の刃部のみで被情報廃棄物を切断する機能を担うのではなく、第１の刃部および第２の刃部によって被情報廃棄物を切断する機能であるはさみの機能を担うことをいう。ただし、被情報廃棄物の性質等によっては、第１の刃部もしくは第２の刃部のみによって切断することを含む概念である。
【発明を実施するための最良の形態】
【００１６】
本発明における情報廃棄装置の実施例を以下において説明する。
【実施例１】
【００１７】
1.  構成
本発明に係る情報廃棄装置１を図１〜図３に示す。図１は情報廃棄装置１の斜視図であり、図２は情報廃棄装置１の正面図、図３は図２における矢印ａ１方向からみた図である。なお、図３においては、一部の突起部１３について取り外し状態を示している。
【００１８】
図１に示すように、情報廃棄装置１は、第１の端部１１、第１の操作部１７、第２の端部２１、第２の操作部２７、および支点軸３１を有している。
【００１９】
第１の端部１１は、支点軸３１を中心として対称となる位置に第１の操作部１７を有している。なお、第１の端部１１と第１の操作部１７とは一体として構成されている。
【００２０】
また、第２の端部２１は、支点軸３１を中心として対称となる位置に第２の操作部２７を有している。なお、第２の端部２１と第２の操作部２７とは一体として構成されている。
【００２１】
第１の端部１１と第２の端部２１とは支点軸３１を介して結合されている。これにより、第１の端部１１と第２の端部２１とは支点軸３１を中心に互いに揺動可能となる。
【００２２】
第１の操作部１７および第２の操作部２７を、はさみのように操作することによって、第１の端部１１および第２の端部２１を揺動させることができる。
【００２３】
第１の端部１１は、複数の突起部１３および第１の刃部１５を有している。第２の端部２１は、複数の孔部２３および第２の刃部２５を有している。突起部１３は、孔部２３に嵌合することによって、被情報廃棄物である紙に孔を形成する。
【００２４】
また、第１の刃部１５および第２の刃部２５によって、はさみのように被情報廃棄物である紙を切断する。また、図２に示すように、第１の端部１１は、第１の刃部１５を突起部１３より支点軸３１に対して近くに有している。また、第２の端部２１は、第２の刃部２５を孔部２３より支点軸３１に対して近くに有している。
【００２５】
図３に示すように、第１の端部１１は、第２の端部２１と対向する面Ｐ１１に突起部１３を取り付けるためのねじ孔１９を有している。なお、ねじ孔１９は、突起部１３の数だけ形成されている。
【００２６】
次に、突起部１３および孔部２３の構成を図４を用いて説明する。突起部１３は、刃部１３１およびねじ部１３３を有している。刃部１３１は、孔あけパンチにおけるパンチ刃と同様の構成を有している。また、ねじ部１３３は、第１の端部１１に形成されているねじ孔１９（図示せず）に対応するように形成されている。このように、突起部１３がねじ部１３１を有することによって、突起部１３は第１の端部１１に対して取り外し可能となる。したがって、孔をあけたい間隔となるように突起部１３を第１の端部１１に設置すれば、ユーザーが望む間隔で孔をあけることが可能となる。なお、刃部１３１とねじ部１３３とは一体として構成されている。
2.  使用方法
次に、情報廃棄装置１の使用方法を図５および図６を用いて説明する。図５および図６においては、住所、氏名が記載されたタックシールＴ１が貼られた封筒Ｅ１から、住所、氏名等の個人情報を情報廃棄装置１を用いて削除する方法を示したものである。
【００２７】
図５Ａに示すように、タックシールＴ１は、封筒Ｅ１の端部から張られたところ、紙媒体の中央付近に張られている。
この場合、情報廃棄装置１第１の操作部１７および第２の操作部２７を用いて、対１の端部１１および第２の端部２１（図示せず）を開けて、第１の刃部１５と第２の刃部２５との交差部分Ｃ１を封筒Ｅ１の端部に位置させる。
【００２８】
そして、図５Ｂに示すように、第１の操作部１７および第２の操作部２７を用いて、第１の刃部１５および第２の刃部２５を揺動させて、タックシールＴ１に孔を形成できる位置まで情報廃棄装置１を切り進める。
【００２９】
図６Ａに移って、所定の部分まで切り進めた後、第１の操作部１７および第２の操作部２７を用いて、第１の端部１１と第２の端部２１とを封筒を挟んで密着させる。これにより、突起部１３が孔部２３に嵌合し、封筒Ｅ１に孔を形成することができる。封筒Ｅ１に複数の（突起部１３の数だけの）孔Ｈ１を形成した状態を図６Ｂに示す。このように、封筒Ｅ１上に孔Ｈ１を形成することによって、その部分に記載された個人情報を簡単に削除することができる。他に個人情報を削除したい部分がある場合には、同様の要領で、その部分に孔Ｃ１を形成すればよい。
【００３０】
このように、情報廃棄装置１を用いることによって、個人情報等の重要な情報がどの部分に記載されてるか定まっていない書類等の紙媒体であっても、重要な情報が記載されている部分の位置にかかわらず、当該情報を容易に廃棄することができるの。
【００３１】
また、ビニール袋等の柔らかい材質のものとは異なり、たぐり寄せることが難しい書類等の紙媒体であっても、紙媒体の中央付近に記載された個人情報等の重要な情報を容易に削除することができる。
【００３２】
さらに、情報削除装置１は、はさみ状の構造有しているため、設置・保管にスペースを必要とせず、容易に取り扱うことができる。
［その他の実施例］
（１）構造
前述の実施例１においては、情報廃棄装置１は、はさみ状の構造を有していた。しかし、第１の端部および第２の端部が、支点軸を介して結合され、支点軸を中心に互いに揺動可能に形成されているものであればこれに限定されない。例えば、図７に示すようなホッチキス状の構造を有する情報廃棄装置５１としてもよい。情報廃棄装置５１は、第１の端部６１、第１の操作部６７、第２の端部７１、第２の操作部７７、および支点軸８１を有している。第１の端部６１は、突起部６３および第１の刃部６５を有している。第２の端部は、孔部（図示せず）および第２の刃部７５を有している。
（２）突起部１３および孔部２３の配置
前述の実施例１においては、突起部１３および孔部２３は、それぞれ第１の端部１１、第２の端部２１上に一直線上に配置されていた。しかし、突起部１３および孔部２３の配置は、これに限定されない。例えば、図８に示すように、所定の部分の突起部１３を設置しないようにしてもよい。例えば、一般的な２穴パンチにおける穴の間隔Ｌだけ離して、突起部１３を設置することによって、情報廃棄装置１を２穴パンチとして利用することができる。その他の多穴パンチについても同様である。
【００３３】
また、図９Ａに示すように、横に一直線上に配置するようにしてもよい。また、図９Ｂに示すように、マトリクス状に配置するようにしてもよい。さらに、突起部１３および孔部２３を複数配置せずに、それぞれひとつだけ配置するようにしてもよい。
（３）突起部１３の構造
前述の実施例１においては、突起部１３は取り外し可能となるようにねじ部１３１を設けていたが、第１の端部１１と一体となるように構成するようにしてもよい。
【００３４】
また、前述の実施例１においては、突起部１３は円柱形状を、孔部２３は円状孔であったが、突起部１３については被情報廃棄物に対して孔を形成するものであれば、また、孔部２３については突起部１３と協同して被情報廃棄物に対して孔を形成するものであれば、この形状に限定されない。例えば、突起部１３については角柱形状、対応する孔部２３については角状孔であってもよい。
【図面の簡単な説明】
【００３５】
【図１】本発明における情報廃棄装置１に関する斜視図である。
【図２】図１に示す情報廃棄装置１の正面図である。
【図３】図２における矢印ａ１方向から情報廃棄装置１をみた図である。
【図４】突起部１３および孔部２３を示した図である。
【図５】情報廃棄装置１の使用方法を説明するための図である。
【図６】情報廃棄装置１の使用方法を説明するための図である。
【図７】情報廃棄装置の他の実施形態を示した図である。
【図８】情報廃棄装置の他の実施形態を示した図である。
【図９】情報廃棄装置の他の実施形態を示した図である。
【図１０】従来の情報廃棄装置を説明するための図である。
【符号の説明】
【００３６】
１・・・・・情報廃棄装置
１１・・・・・第１の端部
１３・・・・・突起部
１５・・・・・第１の刃部
１７・・・・・第１の操作部
１９・・・・・ねじ孔
２１・・・・・第２の端部
２３・・・・・孔部
２５・・・・・第２の刃部
２７・・・・・第２の操作部
【図１】
2006341344.tif 000003
【図２】
2006341344.tif 000004
【図３】
2006341344.tif 000005
【図４】
2006341344.tif 000006
【図５】
2006341344.tif 000007
【図６】
2006341344.tif 000008
【図７】
2006341344.tif 000009
【図８】
2006341344.tif 000010
【図９】
2006341344.tif 000011
【図１０】
2006341344.tif 000012